(57)【要約】【課題】  スライド可能なボードを有する構造において、スペースを好適に利用することが可能な車両用荷室構造を提供する。【解決手段】  車両用荷室構造１は、車両の荷室Ｃに設けられる支持部２０と、支持部２０によって支持された状態で、荷室Ｃを上下に区画するフロアボードと、フロアボードを支持する支持部２０と、を備え、フロアボードは、第一のボード４０と、第一のボード４０に併設される第二のボード５０と、を備え、第一のボード４０は、下側に設けられる収納ボックス３０を覆う状態と、収納ボックス３０を開放する状態と、を切替可能であり、第一のボード４０が収納ボックス３０を開放する状態である場合に、第二のボード５０は、収納ボックス３０上までスライド可能である。【選択図】      図１
2019038305.tif 000002
【特許請求の範囲】
【請求項１】
車両の荷室に設けられる支持部と、
前記支持部によって支持された状態で、前記荷室を上下に区画するフロアボードと、
を備え、
前記フロアボードは、
第一のボードと、前記第一のボードに併設される第二のボードと、
を備え、
前記第一のボードは、下側に構成される収納スペースを覆う状態と、前記収納スペースを開放する状態と、を切替可能であり、
前記第一のボードが前記収納スペースを開放する状態である場合に、前記第二のボードは、前記収納スペース上までスライド可能である
ことを特徴とする車両用荷室構造。
【請求項２】
前記収納スペースに対して前記第二のボードの反対側となる部位において、前記収納スペースを開放する状態としての起立状態の前記第一のボードを保持可能な第一の保持部を備え、
前記第一のボードが前記第一の保持部に保持された状態で、前記第二のボードは、前記収納スペース上までスライド可能である
ことを特徴とする請求項１に記載の車両用荷室構造。
【請求項３】
前記収納スペースに対して前記第二のボード側となる部位において、前記収納スペースを開放する状態としての起立状態の前記第一のボードを保持可能な第二の保持部を備える
ことを特徴とする請求項１又は請求項２に記載の車両用荷室構造。
【請求項４】
前記第一のボードは、前記起立状態において、前記第二のボードのスライド方向及び上下方向に直交する方向から見て、山形に折り畳まれる
ことを特徴とする請求項２又は請求項３に記載の車両用荷室構造。
【発明の詳細な説明】
【技術分野】
【０００１】
本発明は、車両用荷室構造に関する。
【背景技術】
【０００２】
特許文献１には、車両の荷室におけるリヤフロア上に、スライド可能な荷台ボードを設ける構造が記載されている。
【先行技術文献】
【特許文献】
【０００３】
【特許文献１】実開平１−９８７５２号公報
【発明の概要】
【発明が解決しようとする課題】
【０００４】
特許文献１に記載の構造では、荷台ボードをスライドさせることによって荷台ボード上の荷物を収納したり取り出しやすくしている。しかし、荷台ボードのスライド先に荷物を置くと荷台ボードのスライドの障害となる等、荷台ボード上にしか荷物を置けず、スペースを好適に利用しているとはいえない。
【０００５】
本発明は、前記の点に鑑みてなされたものであり、スライド可能なボードを有する構造において、スペースを好適に利用することが可能な車両用荷室構造を提供することを課題とする。
【課題を解決するための手段】
【０００６】
前記した課題を解決するために、本発明の車両用荷室構造は、車両の荷室に設けられる支持部と、前記支持部によって支持された状態で、前記荷室を上下に区画するフロアボードと、を備え、前記フロアボードは、第一のボードと、前記第一のボードに併設される第二のボードと、を備え、前記第一のボードは、下側に構成される収納スペースを覆う状態と、前記収納スペースを開放する状態と、を切替可能であり、前記第一のボードが前記収納スペースを開放する状態である場合に、前記第二のボードは、前記収納スペース上までスライド可能であることを特徴とする。
【発明の効果】
【０００７】
本発明によると、スライド可能なボードを有する車両用荷室構造において、スペースを好適に利用することができる。
【図面の簡単な説明】
【０００８】
【図１】本発明の実施形態に係る車両用荷室構造を模式的に示す図であり、（ａ）は第一の閉状態を示す平面図、（ｂ）は（ａ）のＸ１矢視断面図である。
【図２】本発明の実施形態に係る車両用荷室構造を模式的に示す図であり、（ａ）は第一の開状態を示す平面図、（ｂ）は（ａ）のＸ２矢視断面図である。
【図３】本発明の実施形態に係る車両用荷室構造を模式的に示す図であり、（ａ）は第二の閉状態を示す平面図、（ｂ）は（ａ）のＸ３矢視断面図である。
【図４】本発明の実施形態に係る車両用荷室構造を模式的に示す図であり、（ａ）は第二の開状態を示す平面図、（ｂ）は（ａ）のＸ４矢視断面図である。
【発明を実施するための形態】
【０００９】
本発明の実施形態について、本発明の車両用荷室構造を車体の後部に適用した場合を例にとり、図面を参照して詳細に説明する。説明において、同一の要素には同一の符号を付し、重複する説明は省略する。なお、各図中に矢印で示される「前後」は、車体前後方向を示し、「上下」は、車体上下方向を示し、「左右」は、運転席から見た左右方向（車幅方向）を示している。
【００１０】
図１（ａ）（ｂ）に示すように、本発明の実施形態に係る車両用荷室構造１は、車両の後部に形成される荷室Ｃを上下に区画する構造であって、フロアパネル１０と、支持部２０と、収納ボックス３０と、フロアボードとしての第一のボード４０及び第二のボード５０と、を備える。
【００１１】
＜フロアパネル＞
フロアパネル１０は、車体の床面を構成する金属製のパネルである。図１（ｂ）に示すように、フロアパネル１０は、第一の床壁部１１と、第一の床壁部１１の周縁部から上方へ延設される第一の側壁部１２と、第一の側壁部１２の上端部から前後方向及び車幅方向外方へ広がるように延設される第二の床壁部１３と、第二の床壁部１３の周縁部から上方へ延設される第二の側壁部１４と、第二の側壁部１４の上端部から前後方向及び車幅方向外方へ広がるように延設される第三の床壁部１５と、を備える。
【００１２】
第一の床壁部１１は、平面視で矩形状を呈する。第一の側壁部１２、第二の床壁部１３、第二の側壁部１４及び第三の床壁部１５は、それぞれ、平面視で矩形枠形状を呈する。第二の床壁部１３において、前方へ延設される部位は、後方及び車幅方向外方へ延設される部位よりも大きい。本実施形態において、第二の床壁部１３における前方へ延設される部位１３ａは、第一の床壁部１１と同等の形状に設定されている。第三の床壁部１５の後辺部１５ａ又はその後方の上側には、車体の後部開口が形成されている。車外のユーザは、後部開口に設けられるドアを開けた状態において、後部開口を介して、荷室Ｃに物品Ｙ１，Ｙ２を収納したり、荷室Ｃから物品Ｙ１，Ｙ２を取り出したりすることができる。
【００１３】
＜支持部＞
支持部２０は、フロアボードとしての第一のボード４０及び第二のボード５０の車幅方向両端部が載置されることによって、第一のボード４０及び第二のボード５０が荷室Ｃを上下に区画するように、第一のボード４０及び第二のボード５０を支持する部位である。本実施形態において、支持部２０は、第一のボード４０及び第二のボード５０を、前後方向へスライド可能に支持する。本実施形態において、支持部２０は、第二の床壁部１３の車幅方向両辺部上において前後方向に延設されている金属製又は樹脂製の板状部材である。支持部２０は、溶接、接着等によって第二の床壁部１３に固定されている。支持部２０の上面の高さは、第三の床壁部１５の高さよりも低く設定されている。本実施形態において、支持部２０は、第一の床壁部１１すなわち収納ボックス３０を挟むように設けられる左右一対の第一の支持部２１，２１と、第一の支持部２１よりも前方において部位１３ａを挟むように設けられる左右一対の第二の支持部２２，２２と、を備える。
【００１４】
＜第一の保持部＞
第一の支持部２１の後端部と第二の側壁部１４の後辺部との間には、第一の保持部２Ａが構成されている。第一の保持部２Ａは、起立状態の第一のボード４０を、収納ボックス３０の後端部側において保持する部位である。本実施形態において、第一の保持部２Ａは、起立状態の第一のボード４０の下端部が嵌合される凹部である。第一の支持部２１の後端部と第二の側壁部１４の後辺部との間の隙間は、起立状態の第一のボード４０の厚みと同等に設定されている。
【００１５】
＜第二の保持部＞
第一の支持部２１の前端部と第二の支持部２２の前端部との間には、第二の保持部２Ｂが構成されている。第二の保持部２Ｂは、起立状態の第一のボード４０を、収納ボックス３０の前端部側において保持する部位である。本実施形態において、第二の保持部２Ｂは、起立状態の第一のボード４０の下端部が嵌合される凹部である。第一の支持部２１の前端部と第二の支持部２２の前端部との間の隙間は、起立状態の第一のボード４０の厚みと同等に設定されている。
【００１６】
＜収納ボックス＞
収納ボックス３０は、第一の床壁部１１及び第一の側壁部１２によって構成されるスペースに設けられる樹脂製の筐体である。収納ボックス３０は、上面に開口を有しており、当該収納ボックス３０の上端部には、第二の床壁部１３上に載置されるフランジ部が形成されている。かかる収納ボックス３０は、荷室Ｃのうち、フロアボードの下方となるスペースに物品Ｙ１を収納するための筐体である。
【００１７】
＜第一のボード＞
第一のボード４０は、荷室Ｃを上下に区画するフロアボードであって、収納ボックス３０の開口を覆う樹脂製の蓋体である。第一のボード４０の前後長は、収納ボックス３０の前後長と同様に設定されており、第一のボード４０の左右長は、第三の床壁部１５の左右両辺部間の間隔と同等に設定されている。すなわち、第一のボード４０の車幅方向両端部は、左右一対の支持部２０上に、前後方向にスライド可能に載置される。第一のボード４０は、後側のボード４１と、前側のボード４２と、をヒンジ部４３によって連結する構造を有する。第一のボード４０は、第二のボード５０のスライド方向及び上下方向に直交する方向（本実施形態では、車幅方向）から見て、ヒンジ部４３を頂点として山形に折り曲げ可能であり、かかる山形に折り曲げられた起立状態において、第一の保持部２Ａ及び第二の保持部２Ｂのいずれかに保持可能となっている。また、第一のボード４０のヒンジ部４３近傍には、取っ手部４０ａが形成されている。
【００１８】
＜第二のボード＞
第二のボード５０は、第一のボード４０に併設されるフロアボードであって、平面視で展開状態の第一のボード４０と同一形状を呈する樹脂製の蓋体である。第二のボード５０の車幅方向両端部は、左右一対の支持部２０上に、前後方向にスライド可能に載置される。また、第二のボード５０の後端部には、取っ手部５０ａが形成されている。第二のボード５０は、支持部２０上をスライド移動することによって、第二の床壁部１３のうち前方へ延設される部位の上方と、第一の床壁部１１の上方と、の間で移動可能となっている。
【００１９】
第二のボード５０と第一のボード４０との前後長の合計は、第三の床壁部１５の前後両辺部間の間隔と同等に設定されている。また、第一のボード４０及び第二のボード５０の上面の高さ（厚み）は、第三の床壁部１５の上面と面一となる高さに設定されていてもよい。また、第三の床壁部１５、第一のボード４０及び第二のボード５０の上面には、ガーニッシュが設けられていてもよい。
【００２０】
＜動作例＞
続いて、本発明の実施形態に係る車両用荷室構造１の動作例について、図１から図４を参照して説明する。
【００２１】
≪第一の閉状態≫
通常時において、車両用荷室構造１は、図１（ａ）（ｂ）に示すように、第一の閉状態となっている。第一の閉状態において、展開状態の第一のボード４０は、左右一対の第一の支持部２１，２１上に載置されており、収納ボックス３０の上部開口を覆っている。かかる状態において、収納ボックス３０内に収納された物品Ｙ１は、第一のボード４０によって保護されている。また、第一の閉状態において、第二のボード５０は、左右一対の第二の支持部２２，２２上に載置されている。かかる状態において、第二のボード５０上には、物品Ｙ２が載置されている。
【００２２】
≪第一の開状態≫
第一の閉状態において、車外のユーザが、車体の後部開口から取っ手部４０ａを持って第一のボード４０を折り曲げて起立状態とし、起立状態の第一のボード４０を第一の保持部２Ａに保持させる。かかる操作によって、車両用荷室構造１は、図２（ａ）（ｂ）に示すように、第一の開状態となる。第一の開状態において、車外のユーザは、収納ボックス３０内に収納された物品Ｙ１を車体の後部開口を介して取り出したり、他の物品を車体の後部開口を介して収納ボックス３０に収納したりすることができる。
【００２３】
≪第二の閉状態≫
第一の開状態において、車外のユーザが、車体の後部開口から取っ手部５０ａを持って第二のボード５０を後方へスライド移動させる。かかる操作によって、車両用荷室構造１は、図３（ａ）（ｂ）に示すように、第二の閉状態となる。第二の閉状態において、第二のボード５０は、左右一対の第一の支持部２１，２１上に載置されており、収納ボックス３０の上部開口を覆っている。かかる状態において、収納ボックス３０内に収納された物品Ｙ１は、第二のボード５０によって保護されている。また、第二の閉状態において、車外のユーザは、第二のボード５０上に載置された物品Ｙ２を車体の後部開口を介して取り出したり、他の物品を車体の後部開口を介して第二のボード５０上に載置したりすることができる。
【００２４】
≪第二の開状態≫
一方、第一の閉状態において、車外のユーザが、車体の後部開口から取っ手部４０ａを持って第一のボード４０を折り曲げて起立状態とし、起立状態の第一のボード４０を第二の保持部２Ｂに保持させる。かかる操作によって、車両用荷室構造１は、図４（ａ）（ｂ）に示すように、第二の開状態となる。第二の開状態において、車外のユーザは、収納ボックス３０内に収納された物品Ｙ１を車体の後部開口を介して取り出したり、他の物品を車体の後部開口を介して収納ボックス３０に収納したりすることができる。
【００２５】
本発明の実施形態に係る車両用荷室構造１は、第一のボード４０を起立状態とすることによって、下側の収納ボックス３０に対する物品Ｙ１の収納及び取り出しを可能とすることができる。また、車両用荷室構造１は、第二のボード５０をスライド移動させることによって、第二のボード５０上の物品Ｙ２の収納及び取り出しを容易にすることができる。
【００２６】
また、車両用荷室構造１は、第一の保持部２Ａを備えるので、起立状態の第一のボード４０を第一の保持部２Ａに保持させた状態で、収納ボックス３０に対する物品Ｙ１の収納及び取り出しを可能とすることができる。また、車両用荷室構造１は、起立状態の第一のボード４０を第一の保持部２Ａに保持させた状態で第二のボード５０をスライド移動させることによって、第二のボード５０上の物品Ｙ２の収納及び取り出しを容易にすることができる。
【００２７】
また、車両用荷室構造１は、第二の保持部２Ｂを備えるので、起立状態の第一のボード４０を第二の保持部２Ｂに保持させた状態で、収納ボックス３０に対する物品Ｙ１の収納及び取り出しを可能とすることができる。特に、車両用荷室構造１は、第二のボード５０と反対側から収納ボックス３０に対する物品Ｙ１の収納及び取り出しを可能とする際に、第一のボード４０が邪魔にならない。
【００２８】
また、車両用荷室構造１は、第一のボード４０が起立状態において山形に折り曲げられるので、第一のボード４０の起立状態における高さを低減させることができる。特に、第一の保持部２Ａ及び／又は第二の保持部２Ｂを備える構造においては、保持部２Ａ，２Ｂに保持される第一のボード４０の高さが低減されるため、収納ボックス３０に対する物品Ｙ１の収納及び取り出しを可能とする際に、第一のボード４０が邪魔になることを抑制することができる。
【００２９】
以上、本発明の実施形態について説明したが、本発明は前記実施形態に限定されず、本発明の要旨を逸脱しない範囲で適宜変更可能である。例えば、第一のボード４０及び第二のボード５０は、一体的に連結されている構成であってもよい。
また、第一のボード４０は、第二のボード５０のスライド方向に配列される複数のヒンジ部を備えることによって、１つ以上の山形及び１つ以上の谷形を有するように折り曲げられる構成であってもよい。
また、支持部２０及び各保持部２Ａ，２Ｂは、フロアパネル１０に一体に形成される構成であってもよい。
また、車両用荷室構造１は、第一の閉状態における第二のボード５０の下方も収納スペースとする構成であってもよい。
また、車体に対する各ボード４０，５０の配列方向及び支持部２０による第二のボード５０のスライド方向は、適宜変更可能である。
また、支持部２０によるフロアボードの支持構造、及び、荷室Ｃ内におけるフロアボードのスライド構造は、前記したものに限定されない。
【符号の説明】
【００３０】
１      車両用荷室構造
２Ａ    第一の保持部
２Ｂ    第二の保持部
１０    フロアパネル
２０    支持部
２１    第一の支持部
２２    第二の支持部
３０    収納ボックス（下側の収納スペース）
４０    第一のボード（フロアボード）
５０    第二のボード（フロアボード）
Ｃ      荷室
【図１】
2019038305.tif 000003
【図２】
2019038305.tif 000004
【図３】
2019038305.tif 000005
【図４】
2019038305.tif 000006